(57)【要約】      （修正有）【課題】就寝時等において身体に対する冷却効果が高い保冷具を提供する。【解決手段】ポリエステル、麻、タオル地等から選定される表地と、高周波加熱により溶着可能な非吸水性素材であるポリ塩化ビニル等からなる裏地とを有する矩形シート状の２枚の被覆材同士を、前記裏地同士を重ね合わせて裏地同士の高周波加熱による外周圧着部６、内部領域の円環状で、かつ、放熱用の抜穴８を有する複数箇所の部分圧着部７及び直線状の中間圧着部９をもって偏平な形態に形成した外装体２と、外周圧着部６、内部領域の部分圧着部７及び中間圧着部９により外装体２内において流動が規制される状態で収納したジェル、ポリアクリル酸ナトリウム、硫酸アンモニウム、硫酸ナトリウム、グリセリン、水、防カビ剤等を含む保冷媒体と、を有し、外装体２を表裏反転してリバーシブル使用可能な構成としたものである。【選択図】図１
0003146465.tif 000002
【実用新案登録請求の範囲】
【請求項１】
布状素材からなる表地と、高周波加熱により溶着可能な非吸水性素材からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、
前記外周圧着部、内部領域の部分圧着部及び中間圧着部により前記外装体内において流動が規制される状態で収納した保冷媒体と、
を有することを特徴とする保冷具。
【請求項２】
繊維、綿、ポリエステル、レーヨン、麻、起毛生地、ちりめん、楊柳、タオル地等から選定される表地と、高周波加熱により溶着可能な非吸水性素材であるポリ塩化ビニル等からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、
前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有し、
前記外装体を表裏反転してリバーシブル使用可能としたことを特徴とする保冷具。
【請求項３】
繊維、綿、ポリエステル、レーヨン、麻、起毛生地、ちりめん、楊柳、タオル地等から選定される表地と、高周波加熱により溶着可能な非吸水性素材であるポリ塩化ビニル等からなる裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、
前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有し、
前記外装体を表裏反転してリバーシブル使用可能としたことを特徴とする保冷具。
【請求項４】
繊維、綿、ポリエステル、レーヨン、麻、起毛生地、ちりめん、楊柳、タオル地等から選定される表地と、高周波加熱により溶着可能な非吸水性素材であるポリ塩化ビニル等からなる裏地とを有し、シーツ用サイズ、枕用サイズ又はこれらの中間寸法のハーフサイズ、更にカーシートサイズや座布団サイズ、ワイン保冷用シートサイズなどのうちから選定される矩形シート状の２枚の被覆材同士を、前記裏地同士を重ね合わせて裏地同士の高周波加熱による外周圧着部、内部領域の円環状、四角形状、三角形状、楕円形状等からなり、かつ、放熱用の円形、四角形、三角形、楕円形等から選定される抜穴を有する複数箇所の部分圧着部及び直線状の中間圧着部をもって偏平な形態に形成した外装体と、
前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、
を有し、
前記外装体を表裏反転してリバーシブル使用可能としたことを特徴とする保冷具。
【考案の詳細な説明】
【技術分野】
【０００１】
本考案は、保冷具に関し、詳しくは、ジェルを含む保冷媒体の冷却効果を利用し人体各部の冷却用として使用する保冷具に関するものである。
【背景技術】
【０００２】
従来からジェルを含む保冷媒体を枕サイズ、シーツサイズの外装体内に収納して保冷パッドを構成し、高温期の就寝時等において、この保冷具を枕に被せて頭部を冷却したりベッド上に載置して身体の背中等を冷却したりすることが行われている。
【０００３】
このような冷却パッドの場合、内部に収納したジェルを含む保冷媒体の流動性が大きいことから、単に保冷媒体を外装体内に収納しただけでは身体の重さにより保冷媒体が外装体内で偏在してしまい、身体に対する冷却効果を十分に期待できなくなる。
【０００４】
また、このような冷却パッドの場合、身体からの熱の放熱作用も考慮することが要請される。
【０００５】
特許文献１には、枕サイズとした冷熱ゲルシートと、この冷熱ゲルシートを挿脱させる収納部を内部に備えた枕カバーとにより構成した冷熱ゲル枕が開示されている。
【０００６】
しかしながら、特許文献１の場合、人体頭部の冷却効果を発揮させることを主眼としていて、比較的小寸法なもので、含水ゲルの流動性の点を考慮するとこのような冷熱ゲル枕の構成をそのまま長尺なシーツサイズ等に応用したとしても十分な冷却効果を期待し得ないものと推定される。
【特許文献１】特開２００２−２３３４４２号公報
【考案の開示】
【考案が解決しようとする課題】
【０００７】
本考案が解決しようとするとする問題点は、シーツサイズのような長尺なものから枕サイズ等のような比較的小寸法のサイズにわたるいずれの場合においても、保冷媒体の流動性による偏在を抑えて身体に対する十分な冷却効果を発揮し、かつ、熱の放熱作用にも優れるような保冷具が存在しない点である。
【課題を解決するための手段】
【０００８】
本考案に係る保冷具は、布状素材からなる表地と、高周波加熱により溶着可能な非吸水性素材からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納した保冷媒体と、を有することを最も主要な特徴とする。
【考案の効果】
【０００９】
請求項１記載の考案によれば、外装体を、布状素材からなる表地と、高周波加熱により溶着可能な非吸水性素材からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成し、保冷媒体を前記外周圧着部、内部領域の部分圧着部及び中間圧着部により前記外装体内において流動が規制される状態で収納したものであるから、前記部分圧着部及び中間圧着部により保冷媒体の流動が規制されて偏在が無くなり、かつ、前記各部分圧着部に設けた抜穴により熱の放熱作用も良好に行なわれて、就寝時等において身体に対する十分な冷却効果を発揮し得る保冷具を提供することができる。
【００１０】
請求項２記載の考案によれば、外装体を、繊維、綿、ポリエステル、レーヨン、麻、起毛生地、ちりめん、楊柳、タオル地等から選定される表地と、高周波加熱により溶着可能な非吸水性素材であるポリ塩化ビニル等からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成し、ジェル、ポリアクリル酸ナトリウム、硫酸アンモニウム、硫酸ナトリウム、グリセリン、水、防カビ剤等を含む保冷媒体を前記外周圧着部、内部領域の部分圧着部及び中間圧着部により前記外装体内において流動が規制される状態で収納したものであるから、前記部分圧着部及び中間圧着部により保冷媒体の流動が規制されて偏在が無くなり、かつ、前記各部分圧着部に設けた抜穴により熱の放熱作用も良好に行なわれて、就寝時等において身体に対する十分な冷却効果を発揮し、また、前記外装体を表裏反転してのリバーシブル使用も可能な保冷具を提供することができる。
【００１１】
請求項３記載の考案によれば、請求項２記載の考案と略同様な構成で、かつ、シーツ用サイズ、枕用サイズ又はこれらの中間寸法のハーフサイズ、更にカーシートサイズや座布団サイズ、ワイン保冷用シートサイズなどのうちから選定される構成の基に、請求項２記載の考案と同様にして就寝時等において身体の全体又は頭部或いは身体の一部に対する十分な冷却効果を発揮でき、また、前記外装体を表裏反転してのリバーシブル使用も可能な保冷具を提供することができる。
【００１２】
請求項４記載の考案によれば、請求項３記載の考案と略同様な構成で、かつ、複数箇所の部分圧着部として、円環状、四角形状、三角形状、楕円形状等からなり、かつ、放熱用の円形、四角形、三角形、楕円形等から選定される抜穴を有する構成で、請求項３記載の考案と同様にして就寝時等において身体の全体又は頭部或いは身体の一部に対する十分な冷却効果を発揮でき、また、前記外装体を表裏反転してのリバーシブル使用も可能な保冷具を提供することができる。
【考案を実施するための最良の形態】
【００１３】
本考案は、シーツサイズのような長尺なものから枕サイズのような比較的小寸法のサイズにわたるいずれの場合においても、保冷媒体の流動性による偏在を抑えて、身体に対する十分な冷却効果を発揮するとともに身体からの熱の放熱作用にも優れ、しかも、リバーシブル使用も可能な保冷具を提供するという目的を有するものである。
【００１４】
本考案の保冷具は、繊維、綿、ポリエステル、レーヨン、麻、起毛生地、ちりめん、楊柳、タオル地等から選定される表地と、高周波加熱により溶着可能な非吸水性素材であるポリ塩化ビニル等からなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤等を含む保冷媒体と、を有し、前記外装体を表裏反転してリバーシブル使用可能とした構成により上記目的を実現した。
【実施例】
【００１５】
以下に、本考案の実施例に係る保冷具について図面を参照して詳細に説明する。
【００１６】
（実施例１）
図１乃至図９を参照して本実施例１に係る保冷具１について説明する。
【００１７】
本実施例１に係る保冷具１は、図１乃至図３に示すように、例えば綿材、ポリエステル、レーヨン、麻、起毛生地、ちりめん、楊柳、タオル地などからなる表地３と、高周波加熱により溶着可能な例えばポリ塩化ビニル（ＰＶＣ）等の非給水性素材からなる裏地４とを重合した一方の被覆材と、同様な構成の表地３、裏地４からなる他方の被覆材とを前記裏地４同士が対向する配置で重ね合わせ、高周波加熱加工を施した外装体２と、この外装体２内に密封収納したジェルを含む保冷媒体５と、有している。
【００１８】
前記外装体２の形状、サイズは、矩形シート状で例えばシーツ用サイズ（例えば幅９０ｃｍ、長さ１８０ｃｍ）、枕用サイズ又はこれらの中間寸法のハーフサイズ、更にカーシートサイズや座布団サイズ、ワイン保冷用シートサイズなどのうちから選定している。
【００１９】
前記保冷媒体５は、前記両裏地４同士の高周波加熱による外周圧着部６、円環状で、かつ、放熱用の円形の抜穴（完通穴）８を有する多数の部分圧着部７及び直線状の中間圧着部９からなる各圧着部における所定の圧着パターンの基にその流動が規制される状態で外装体２内に密封収納している。
【００２０】
前記両表地３の外面側には、防かび加工を施している。また、前記外周圧着部６の外側の外縁部には側地２ａを配置し（ヘム巻）、全周にわたって縫製加工により縫合している。
【００２１】
前記ジェルを含む保冷媒体５の組成としては、例えば、ジェル、ポリアクリル酸ナトリウム、硫酸アンモニウム、硫酸ナトリウム、グリセリン、水、防カビ剤等からなる組成を挙げることができる。
【００２２】
本実施例１における前記部分圧着部７は、本実施例１においては、図１に示すように、外装体２の全体に渡って横方向に１２個、縦方向に２０個、合計で２４０個設けている。そして、各抜穴８は、各部分圧着部７に各々円形状に設けている。
【００２３】
前記部分圧着部７及び抜穴８の形成方法としては、まず外装体２に対して高周波加熱により合計で２４０個の部分圧着部７を形成し、次に、各部分圧着部７の中央部分にやはり高周波加熱により各々抜穴８を開けるものである。
【００２４】
本実施例１における前記中間圧着部９は、図１に示すように、外装体２に対して縦横配置に、かつ、間隔を隔てる配置に所要数形成している。
【００２５】
次に、本実施例１に係る保冷具１における前記部分圧着部７及び抜穴８の具体例を図６乃至図９を参照して説明する。
【００２６】
図６は前記外装体２に円環状の部分圧着部７及び円形の抜穴８を設けた例を示すものであり、図７は前記外装体２に円環状の部分圧着部７及び四角形の抜穴８を設けた例を示すものであり、図８は前記外装体２に四角形の部分圧着部７及び円形の抜穴８を設けた例を示すものであり、さらに、図９は前記外装体２に四角形の部分圧着部７及び四角形の抜穴８を設けた例を示すものである。
【００２７】
この他、前記部分圧着部７の形状としては三角形状、楕円形状等から選定でき、また前記抜穴８の形状としては三角形、楕円形等から選定できる。
【００２８】
すなわち、前記部分圧着部７及び抜穴８の各形状は、種々の組み合わせの中から選定でき、図６乃至図９に示す各例に限定されるものではない。
【００２９】
次に、図４、図５を参照して本実施例１に係る保冷具１の使用態様等について説明する。
【００３０】
本実施例１に係る保冷具１は、例えば図４、図５に示すように、就寝等に使用するベッド（又は敷布団）１０におけるシーツ１１の上面に載せ、就寝者Ｍが前記保冷具１上に横臥して就寝するような態様で使用するものである。
【００３１】
このとき、外周圧着部６の内部領域に多数の円環状の部分圧着部７を設けていることにより、就寝者Ｍの重さが保冷具１に作用しても、この保冷具１内部におけるジェルを含む保冷媒体５の流動性がほど良く抑えられる。
【００３２】
そして、図５に示すように、保冷具１が心地よく体にフィットするとともに、室温と就寝者Ｍの体温との温度差により保冷媒体５が就寝者Ｍの背中、腰部、足部等の体温を奪い冷却効果を高める。保冷媒体５に蓄熱される熱は前記各円環状の部分圧着部７に設けた円形の抜穴８から、特に就寝者Ｍの身体が直接載っていない保冷具１の領域における円形の抜穴８室内空気中に放散される。すなわち、就寝者Ｍの身体からの熱の放熱作用が良好に行なわれる。
【００３３】
このようにして本実施例１に係る保冷具１によれば、就寝者Ｍの使用感覚が良好であり、かつ、高温期における就寝開始時から目覚め時に至るまで就寝者Ｍの体温を程よく冷却して快適な睡眠を実現させるという優れた効果を発揮する。
【００３４】
本実施例１に係る保冷具１を使用した場合と使用しない場合とにおける就寝者Ｍの就寝時における６０分間の模式的な背中皮膚温度比較結果を、環境温度３０℃の基で温度測定を行った。
【００３５】
その結果、保冷具１を使用した場合、就寝者Ｍの背中の皮膚温度は、わずかに首すじ領域が高めであるのみで他の部分は低めに抑えられているのに対して、保冷具１を使用しない場合、就寝者Ｍの背中の皮膚温度は、背中の略全領域が高くなっていることが判明した。
【００３６】
また、本実施例１に係る保冷具１を使用した場合と使用しない場合とにおける就寝者Ｍの就寝開始から２４０分間の背中皮膚温度比較を、環境温度３０℃の基で温度測定を行った。
【００３７】
その結果、保冷具１を使用した場合には就寝者Ｍの背中の皮膚温度は、使用しない場合に比べ、就寝開始から２４０分間経過するまでずっと２乃至３度低いことが明らかである。
【００３８】
以上のような温度測定結果から明らかなように、本実施例１に係る保冷具１は、就寝者Ｍの睡眠中において優れた冷却効果を発揮することが判明した。
【００３９】
また、本実施例１に係る保冷具１は、前記外装体２を表裏反転してのリバーシブル使用も可能であり、これにより、長期間にわたっての使用にも耐える保冷具１とすることができる。
【００４０】
（実施例２）
図１０、図１１を参照して本発明の実施例２に係る保冷具１Ａ及びその使用態様について説明する。
【００４１】
本実施例２に係る保冷具１Ａは、既述した実施例１の保冷具１の場合と略同様な構成であるが、図１０に示すように、全体サイズを例えば幅９０ｃｍ、長さ９０ｃｍとし、前記保冷具１の半分のハーフサイズとしたことが特徴である。
【００４２】
また、この保冷具１Ａにおける前記部分圧着部７は、図１０に示すように、外装体２の全体に渡って横方向に１２個、縦方向に１０個、合計で１２０個設けている。そして、各抜穴８は、各部分圧着部７に各々円形状に設けている。
【００４３】
本実施例２に係る保冷具１Ａの場合も、図１１に示すように、就寝等に使用するベッド（又は敷布団）１０におけるシーツ１１の上面に載せ、就寝者Ｍが前記保冷具１Ａ上に横臥して就寝するような態様で使用するものである。
【００４４】
本実施例２に係る保冷具１Ａによれば、就寝者Ｍの就寝時において、その背中等の体温を奪い冷却効果を高めることから、前記保冷具１の場合と略同様の作用効果を発揮させることができる。
【００４５】
また、本実施例２に係る保冷具１Ａは、この保冷具１Ａを表裏反転してのリバーシブル使用も可能であり、これにより、長期間にわたっての使用にも耐える保冷具１Ａとすることができる。
【００４６】
（実施例３）
図１２、図１３を参照して本発明の実施例３に係る保冷具１Ｂについて説明する。
【００４７】
本実施例３に係る保冷具１Ｂは、既述した保冷具１の場合と略同様な構成であるが、図１２に示すように、全体サイズを例えば幅３０ｃｍ、長さ４０ｃｍとし、枕１２用として構成したことが特徴である。
【００４８】
この保冷具１Ｂの場合、部分圧着部７は、図１２に示すように、外装体２の全体に渡って横方向に４個、縦方向に２個、合計で８個設けている。そして、各抜穴８は、各部分圧着部７に各々円形状に設けている。
【００４９】
図１３は、本実施例３に係る保冷具１Ｂの使用態様を示すものであり、枕１２に保冷具１Ｂを掛け就寝者Ｍが頭部を載せて就寝することによって、既述した場合と同様にしてこの保冷具１Ｂが心地よく就寝者Ｍの頭部にフィットするとともに、室温と就寝者Ｍの体温との温度差により保冷媒体５が就寝者Ｍの頭部の体温を奪い、かつ、前記抜穴８が熱を室内空気中に放散させる。すなわち、就寝者Ｍの頭部からの熱の放熱作用が良好に行なわれる。
【００５０】
このようにして本実施例３に係る保冷具１Ｂによれば、就寝者Ｍの使用感覚が良好であり、かつ、高温期における就寝開始時から目覚め時に至るまで就寝者Ｍの頭部を程よく冷却して頭寒足熱の状態を現出し快適な睡眠を実現させるという優れた効果を発揮する。
【００５１】
なお、上述した保冷具１、保冷具１Ａ、保冷具１Ｂは、各々そのままでひんやりするものであるが、冷蔵庫で冷やした後使用したり、電子レンジで暖めて使用したりすることも可能である。
【産業上の利用可能性】
【００５２】
本考案は、上述したように主に就寝時に用いる他、夏場等における疲労回復用、スポーツ後の休息用等として広範な用途に適用可能である。
【図面の簡単な説明】
【００５３】
【図１】本考案の実施例１に係る保冷具の平面図である。
【図２】本実施例１に係る保冷具の側面図である。
【図３】本実施例１に係る保冷具の部分拡大断面図である。
【図４】本実施例１に係る保冷具の使用態様を示す概略平面図である。
【図５】本実施例１に係る保冷具の冷却作用の説明図である。
【図６】本実施例１に係る保冷具における部分圧着部及び抜穴の具体例を示す部分拡大図である。
【図７】本実施例１に係る保冷具における部分圧着部及び抜穴の別の具体例を示す部分拡大図である。
【図８】本実施例１に係る保冷具における部分圧着部及び抜穴のさらに別の具体例を示す部分拡大図である。
【図９】本実施例１に係る保冷具における部分圧着部及び抜穴のさらに別の具体例を示す部分拡大図である。
【図１０】本考案の実施例２に係る保冷具の平面図である。
【図１１】本実施例２に係る保冷具及びその使用態様を示す概略平面図である。
【図１２】本考案の実施例３に係る保冷具の平面図である。
【図１３】本実施例３に係る保冷具の使用態様を示す概略平面図である。
【符号の説明】
【００５４】
１    保冷具
１Ａ  保冷具
１Ｂ  保冷具
２    外装体
２ａ  側地
３    表地
４    裏地
５    保冷媒体
６    外周圧着部
７    部分圧着部
８    抜穴
９    中間圧着部
１０    ベッド
１１    シーツ
１２    枕
Ｍ    就寝者
【図１】
0003146465.tif 000003
【図２】
0003146465.tif 000004
【図３】
0003146465.tif 000005
【図４】
0003146465.tif 000006
【図５】
0003146465.tif 000007
【図６】
0003146465.tif 000008
【図７】
0003146465.tif 000009
【図８】
0003146465.tif 000010
【図９】
0003146465.tif 000011
【図１０】
0003146465.tif 000012
【図１１】
0003146465.tif 000013
【図１２】
0003146465.tif 000014
【図１３】
0003146465.tif 000015